(57)【要約】【課題】ＦＴＰ機能を用いずにウエブ上のデータベースとの間でコンテンツをアップ／ダウンロードする。【解決手段】サーバ３のグループ情報設定／提示部３１は、グループ責任者に、グループに登録するためのウエブページのＵＲＬを取得するためにユーザがメールを送信するためのメールアドレスを提示し、電子メール送受信部３３は、該アドレスでメールを受け取ると、そのＵＲＬを返信する。ゲストユーザ登録部３２は、ユーザが登録用のページで入力した個人情報をグループに対応づけて記憶させ、かつ、グループ用のコンテンツ送信先のメールアドレスを登録ユーザに対して送信させる。該アドレスでユーザからのメールを受け取ると、データベース管理部３４は、該メール及び添付ファイルを当該グループ用の記憶部に格納する。コンテンツ提供部３４は、ウエブページ上で、ユーザが選択したコンテンツを記憶部から読み出してユーザに提示する。【選択図】図１
2006113726.tif 000002
【特許請求の範囲】
【請求項１】
ウエブ上のデータベースサービスシステムにおいて、
複数のグループに対応して設けられ、コンテンツをそれぞれ記憶するための複数の記憶部と、
グループの責任者であるマスタユーザのマスタユーザ識別子を用いてアクセス可能なマスタユーザ専用ウエブページを提供し、該ページ上で、当該グループに含まれるユーザがユーザ登録するためのユーザ登録ウエブページのＵＲＬを取得するためにユーザが電子メールを送信するための電子メールアドレスを提示する手段と、
ユーザ登録用ＵＲＬ取得用電子メールアドレスに対する電子メールを受け取ったとき、ユーザ登録用ウエブページのＵＲＬを電子メールで返信させる手段と、
ユーザがグループ識別子を用いてユーザ登録用ウエブページにアクセスしてきたとき、グループ識別子からユーザのグループを特定し、ユーザの個人情報をグループに対応づけて記憶する手段と、
マスタユーザ及び登録されたユーザの電子メールアドレスに対して、これらユーザが属するグループ用の記憶部に対応するコンテンツ送信先電子メールアドレスを電子メールで送信させる手段と、
コンテンツ送信先電子メールアドレスに対するユーザの通信端末からの電子メールを受け取り、該電子メール及びその添付ファイルをコンテンツとして、コンテンツ送信先電子メールアドレスに対応する記憶部に格納する手段と、
任意のユーザがアクセス可能なコンテンツ提供ウエブページであって、アクセスしたユーザの通信端末に、該ユーザが選択したコンテンツを記憶部から読み出して提示するコンテンツ提供手段と
からなることを特徴とするデータベースサービスシステム。
【請求項２】
請求項１記載のデータベースサービスシステムにおいて、コンテンツ提供手段は、ユーザの通信端末に提示されたコンテンツを該通信端末にダウンロードさせることを要求するリクエストに対して、該コンテンツのグループの識別子が入力された場合にのみ、ダウンロードを許可するよう構成されていることを特徴とするデータベースサービスシステム。
【請求項３】
請求項１又は２記載のデータベースサービスシステムにおいて、該システムはさらに、
マスタユーザの通信端末の電子メールアドレスを含む個人情報が記憶された後に、該マスタユーザの識別子、当該グループの識別子、当該グループ用のコンテンツ送信先電子メールアドレス、及び、当該グループ用のコンテンツ閲覧用のＵＲＬを設定する手段と、
マスタユーザの通信端末の電子メールアドレスに対して、設定されたマスタユーザの識別子及びグループ識別子、並びにマスタユーザ専用ウエブページのＵＲＬを電子メールで通知させる手段と、
マスタユーザがマスタユーザ専用ウエブページにアクセスしてきたときに、該ページ上で、グループ登録用ウエブページのＵＲＬを提示する手段と
を備えていることを特徴とするデータベースサービスシステム。
【請求項４】
請求項３記載のデータベースサービスシステムにおいて、該システムはさらに、
マスタユーザの識別子が入力されたときに、当該グループに登録されたユーザの一覧を、加工可能にマスタユーザの通信端末に提示する手段
を備えていることを特徴とするデータベースサービスシステム。
【請求項５】
請求項１〜４いずれかに記載のデータサービスサービスシステムにおいて、コンテンツとして画像を含み、コンテンツ提供手段は、
グループ毎に投稿された記憶部に記憶された画像を、画像が本来持つ画像解像度に関わらず、画像を所定の縮小解像度の画像に変換し、それらをインデックス画像として提供すると共に、該インデックス画像を、スクロール等の動的機能の動作中、固定位置で拡大又は色の変化が生じるように提供する手段
を備えていることを特徴とするデータベースサービスシステム。
【請求項６】
請求項１〜４いずれかに記載のデータベースサービスシステムにおいて、コンテンツとして画像を含み、コンテンツ提供手段は、
ユーザにより選択された画像を、該画像の本来の解像度で閲覧が可能となるように提供するとともに、該画像の投稿者の氏名とグループとの関係をテキストで提供する手段と、
ユーザにより選択された画像を、ユーザ操作に基づいて複数段階に拡大縮小させる手段と、
ユーザにより選択された画像を、ユーザ操作に基づいて回転させる手段と
を備えていることを特徴とするデータベースサービスシステム。
【発明の詳細な説明】
【技術分野】
【０００１】
本発明は、ウエブ上のデータベースサービスシステムに関し、より詳細には、ＦＴＰ機能を用いずに保護されたファイルデータベースを、ユーザが提供するコンテンツを利用してウエブ上で自動的に生成し、かつ生成されたデータベースに構築されたコンテンツを、ユーザに提供するシステムに関する。
【背景技術】
【０００２】
従来、データベースとの間でデータを転送するためには、ファイル転送プロトコル（ＦＴＰ）を用いている。
このＦＴＰ機能を用いたデータベースサービスシステムにおいて、ファイルのアップロードは、以下のようにして実行される。すなわち、ＰＣ等のクライアントマシーンに予めインストールされているＦＴＰアプリケーションプログラムを立ち上げる。次いで、クライアントマシーンから、ファイルをアップロードし格納するためのウエブサーバのＵＲＬにアクセスし、かつそのサーバ内の指定されたディレクトリにアクセスする。そして、アップロードしたいファイルを、ＦＴＰプロトコルにしたがってサーバ側の指定のディレクトリにアップロードする。
一方、サーバに格納されているファイルのダウンロードは、以下のようにして実行される。クライアントマシーンにおいてＦＴＰアプリケーションプログラムを立ち上げ、ファイルをダウンロードするためのサーバのＵＲＬにアクセスし、かつそのサーバ内の指定されたディレクトリにアクセスする。そして、ダウンロードしたいファイルをダイアログボックス等を用いて指定することにより、ＦＴＰプロトコルにしたがって指定されたファイルがクライアントマシーン上にダウンロードされる。
【０００３】
また、以下の特許文献１には、オープンなネットワークを利用することにより、催事場まで赴くことなく、催事状況を表す画像等を閲覧することができるようにした催事総合サポートシステムが記載されている。この催事総合サポートシステムはインターネット上のサーバを備え、該サーバは、招待者毎のＩＤ及びパスワード並びに招待者情報が登録される招待者情報データベースと、ＩＤ及びパスワードをインターネットを介して招待者のクライアントマシンへ送達する送達装置と、催事場から送られてくる催事状況を表す情報を、インターネットを介して招待者のクライアントマシンへ送出するための送出装置とを備えている。
このシステムにおいて、招待者として登録されたユーザは、サーバより配信されたＩＤ及びパスワードを用いて、招待者のクライアントマシンからインターネットを介してサーバにログインすることにより、催事状況を表す情報を該クライアントマシンの表示装置に提供可能である。
【特許文献１】特開２００２−７３８４６号公報
【発明の開示】
【発明が解決しようとする課題】
【０００４】
従来例のＦＴＰ機能を用いたデータベースサービスシステムにおいては、上記したように、クライアントマシーンにＦＴＰアプリケーションプログラムが予めインストールされている必要があり、したがって、該プログラムを搭載するための操作が必要であると共に格納領域を確保する必要がある。また、データベースとウエブ生成アプリケーション（ＰＨＰ等）を連動させてシステム自体にＦＴＰ機能を搭載しても、クライアント側では、システムの指示に沿ってダイアログボックス等から所望のデータを指定する等、ＰＣ初心者には理解しにくいある程度の知識を必要とする。さらに、携帯通信端末では、ＦＴＰアプリケーションプログラムを搭載することができないので、携帯通信端末からデータベースサービスを提供するサーバにアクセスしてファイルをアップロード及びダウンロードすることができない。
【０００５】
また、上記した特許文献に記載されている催事総合サポートシステムにおいては、催事の状況を登録されたユーザがみることができるが、提供される催事の状況は、主催者側が撮影等したものであって、催事に実際に参列した参加者が自分で撮影した写真及びビデオ等を、他の参加者及び関連する人々に広く提供することができるものではない。また、このシステムにおいては、招待者として登録すべきユーザの電子メールアドレスは、催事の主催者のクライアントマシンからインターネットを介してサーバに登録されているため、ユーザの電子メールアドレスがその後変更になった場合等に、ユーザは催事の状況をみることができないことになる。
【０００６】
本発明は、上記した従来例の問題点に鑑みてなされたものであり、その目的は、ＦＴＰ機能を用いることなく、携帯通信端末等を利用しかつ簡単な操作で、ウエブ上のデータベースとの間でコンテンツファイルをアップロード及びダウンロード（閲覧のみを含む）することができるようにすることである。
【課題を解決するための手段】
【０００７】
上記した目的を達成するために、本発明は、ウエブ上のデータベースサービスシステムであって、
複数のグループに対応して設けられ、コンテンツをそれぞれ記憶するための複数の記憶部と、
グループの責任者であるマスタユーザのマスタユーザ識別子を用いてアクセス可能なマスタユーザ専用ウエブページを提供し、該ページ上で、当該グループに含まれるユーザがユーザ登録するためのユーザ登録ウエブページのＵＲＬを取得するためにユーザが電子メールを送信するための電子メールアドレスを提示する手段と、
ユーザ登録用ＵＲＬ取得用電子メールアドレスに対する電子メールを受け取ったとき、ユーザ登録用ウエブページのＵＲＬを電子メールで返信させる手段と、
ユーザがグループ識別子を用いてユーザ登録用ウエブページにアクセスしてきたとき、グループ識別子からユーザのグループを特定し、ユーザの個人情報をグループに対応づけて記憶する手段と、
マスタユーザ及び登録されたユーザの電子メールアドレスに対して、これらユーザが属するグループ用の記憶部に対応するコンテンツ送信先電子メールアドレスを電子メールで送信させる手段と、
コンテンツ送信先電子メールアドレスに対するユーザの通信端末からの電子メールを受け取り、該電子メール及びその添付ファイルをコンテンツとして、コンテンツ送信先電子メールアドレスに対応する記憶部に格納する手段と、
任意のユーザがアクセス可能なコンテンツ提供ウエブページであって、アクセスしたユーザの通信端末に、該ユーザが選択したコンテンツを記憶部から読み出して提示するコンテンツ提供手段と
からなることを特徴とするデータベースサービスシステムを提供する。
【０００８】
上記した本発明に係るデータベースサービスシステムにおいて、コンテンツ提供手段は、ユーザの通信端末に提示されたコンテンツを該通信端末にダウンロードさせることを要求するリクエストに対して、該コンテンツのグループの識別子が入力された場合にのみ、ダウンロードを許可するよう構成されていることが好ましい。
また、データベースサービスシステムはさらに、マスタユーザの通信端末の電子メールアドレスを含む個人情報が記憶された後に、該マスタユーザの識別子、当該グループの識別子、当該グループ用のコンテンツ送信先電子メールアドレス、及び、当該グループ用のコンテンツ閲覧用のＵＲＬを設定する手段と、マスタユーザの通信端末の電子メールアドレスに対して、設定されたマスタユーザの識別子及びグループ識別子、並びにマスタユーザ専用ウエブページのＵＲＬを電子メールで通知させる手段と、マスタユーザがマスタユーザ専用ウエブページにアクセスしてきたときに、該ページ上で、グループ登録用ウエブページのＵＲＬを提示する手段とを備えることが好ましい。この場合、データベースサービスシステムはさらに、マスタユーザの識別子が入力されたときに、当該グループに登録されたユーザの一覧を、加工可能にマスタユーザの通信端末に提示する手段を備えることが好ましい。
【０００９】
上記した本発明に係るデータサービスサービスシステムにおいて、コンテンツとして画像を含んでいる場合、コンテンツ提供手段は、グループ毎に投稿された記憶部に記憶された画像を、画像が本来持つ画像解像度に関わらず、画像を所定の縮小解像度の画像に変換し、それらをインデックス画像として提供すると共に、該インデックス画像を、スクロール等の動的機能の動作中、固定位置で拡大又は色の変化が生じるように提供する手段を備えることが好ましい。
また、上記した本発明に係るデータベースサービスシステムにおいて、コンテンツとして画像を含んでいる場合、コンテンツ提供手段は、ユーザにより選択された画像を、該画像の本来の解像度で閲覧が可能となるように提供するとともに、該画像の投稿者の氏名とグループとの関係をテキストで提供する手段と、ユーザにより選択された画像を、ユーザ操作に基づいて複数段階に拡大縮小させる手段と、ユーザにより選択された画像を、ユーザ操作に基づいて回転させる手段とを備えることが好ましい。
【発明を実施するための最良の形態】
【００１０】
図１は、本発明の一実施形態のデータベースサービスシステムを説明するための模式的なブロック図である。図１において、１はインターネット、２はインターネット１と接続可能な携帯電話端末、パーソナルコンピュータ、ＰＤＡ等の通信端末（クライアントマシーン）、３はインターネット１上で通信端末２にデータベースサービスを提供する、コンピュータプログラムによって動作するサーバである。
ユーザの通信端末２は、本発明のシステムすなわちサーバ３の機能によりグループＧ１〜Ｇｎ（ｎは任意）にグループ化される。グループ中の通信端末２の数は任意である。なお、データベース中のコンテンツは、グループに登録されていないユーザであっても閲覧可能である。サーバ３は、管理用データベースＤＢ（ｍ）と、グループＧ１〜Ｇｎにそれぞれ対応して設けられているコンテンツ格納用データベースＤＢ１〜ＤＢｎとを備えている。コンテンツ格納用データベースＤＢ１〜ＤＢｎは、それぞれ別のデータベースであっても、１つのデータベース中の複数のディレクトリとして構成されていてもよい。
【００１１】
サーバ３は、図１に示すように、グループ情報設定／提示部３１、ゲストユーザ登録部３２、電子メール送受信部３３、データベース管理部３４、及びコンテンツ提供部３５を備えている。
グループ情報設定／提示部３１は、データベースＤＢｉ（ｉ＝１，２，・・・，ｎ）毎に、データベースサービスを利用するグループＧｉに関する情報を設定するとともに、グループの主催者であるマスタユーザのみがアクセス可能なマスタユーザ専用ページを提供し、該ページ上で、設定されたグループ情報をマスタユーザの通信端末に提示するための機能を有している。
ゲストユーザ登録部３２は、グループＧｉに割り当てられたデータベースＤＢｉを利用可能（特に、データベースにコンテンツをアップロード可能）なユーザ個人の個人情報を、ウエブ上で登録するための機能を有している。
【００１２】
電子メール送受信部３３は、グループ情報設定／提示部３１及びゲストユーザ登録部３２の指示の下で電子メールを配信し、また受信した電子メール及びその添付ファイルをデータベース管理部３４に転送する機能を有している。
データベース管理部３４は、電子メール送受信部３３を介して転送される、登録されたユーザ（マスタユーザ及びゲストユーザ）からの電子メールのメールアドレスを含んだ個人情報を管理用データベースＤＢ（ｍ）に格納するとともに、電子メールの本文及びその添付ファイルをコンテンツとして、該ユーザが属するグループＧｉに割り当てられたデータベースＤＢｉに記憶し、また、該データベースＤＢｉに記憶されたコンテンツを、コンテンツ提供部３５の指示により読み出して、該コンテンツ提供部３５に提供する機能を有している。
コンテンツ提供部３５は、ユーザがアクセスしてきたときに、データベース管理部３４に、そのユーザにより選択されたグループＧｉに対応するデータベースＤＢｉのコンテンツを読み出させ、読み出されたコンテンツを適宜の表現で、ウエブページ上で該ユーザに提供する機能を有する。
【００１３】
図１に示したデータベースサービスシステムの動作を、結婚式をイベント例として、図２及び図３のフローチャートを参照して詳細に説明する。図２は、マスタユーザによるグループ情報の確認及びゲストユーザを本システムに登録するために動作フローを示しており、図３は、コンテンツをデータベースにアップロード又はデータベースからダウンロード（単なる閲覧も含む）するための動作フローを示している。なお、この例においては、マスタユーザとはそのグループの主催者である新郎新婦であり、ゲストとは結婚式の参加者及び二次会のみの参加者等の当サービスシステムに画像等のコンテンツをアップロードしたいと希望する人である。
【００１４】
まず、サーバ３において、適宜の入力手段により、新郎新婦の氏名、挙式日時、挙式会場、結婚後の名字、連絡用の通信端末２の電子メールメールアドレス等の個人情報が入力されると、グループ情報設定／提示部３１は、ステップＳ１において、新郎新婦をマスタユーザとする１つのグループＧｉを割り当てて、これに対応する固有のマスタユーザ（マスタ）ＩＤｉ及びＰＷｉ、並びにゲストユーザ（ゲスト）ＩＤｉ及びＰＷｉを設定する。新郎新婦の個人情報は、インターネットを介して、結婚式場から電子的に受信するようにしても良い。
グループ情報設定／提示部３１はまた、このグループＧｉに固有のコンテンツ閲覧のためのＵＲＬｉ（コンテンツ閲覧用ＵＲＬｉ）と、グループＧｉに含まれるゲストユーザからのコンテンツ添付メールの送信先である電子メールアドレス（コンテンツ送信先メールアドレス）ＣＥＡＤＤｉを設定する。コンテンツ閲覧用ＵＲＬｉは、ＰＣ用及び携帯電話機用の２つのＵＲＬである。
【００１５】
設定されたマスタＩＤｉ及びＰＷｉ、ゲストＩＤｉ及びＰＷｉ、コンテンツ閲覧用ＵＲＬｉ、並びに、コンテンツ送信先メールアドレスＣＥＡＤＤｉは、ステップＳ２において、管理用データベースＤＢ（ｍ）に記憶される。また、電子メール送受信部３３は、マスタユーザである新郎新婦の電子メールアドレス宛に、設定されたマスタＩＤｉ及びＰＷｉ並びにゲストＩＤｉ及びＰＷｉを、マスタ登録確認のためのＵＲＬ（マスタ登録確認用ＵＲＬ）とともに通知する。新郎新婦への通知は、通信端末２への電子メールではなく、郵便、電話、ＦＡＸ、等の適宜の通信手段を利用してもよい。
【００１６】
その後、新郎新婦は、通信端末２から、ステップＳ３において、通知されたマスタＩＤｉ及びＰＷｉを用いて、マスタ登録確認用ＵＲＬにアクセスする。ここで、該当グループＧｉのユーザＩＤｉ及びＰＷｉを知っているのは、その通知を受けた新郎新婦だけであり、該グループに対応するマスタＩＤｉ及びＰＷｉでマスタ登録確認用のページにアクセスできたことで、アクセスしたユーザが当該グループＧｉのマスタユーザであることが証明される。次いで、ステップＳ４において、グループ情報設定／提示部３１は、アクセスしたマスタに対して、グループ生成時にサーバ側で入力した個人情報をウエブページ上で確認させるとともに、ゲストユーザの登録のためのＵＲＬ（ゲスト登録用ＵＲＬ）を取得するためにユーザが空メールを送るための電子メールアドレス（ゲスト登録用ＵＲＬ取得用メールアドレス）を提示する。ゲスト登録用ＵＲＬ取得用電子メールアドレスは、予めマスタユーザである新郎新婦又は結婚式場に告知しておいてもよい。
【００１７】
このような状態で、新郎新婦は、ゲスト登録して欲しい人間に対して、自身で又は結婚式場の協力を得て、ゲストＩＤｉ及びＰＷｉと、ゲスト登録用ＵＲＬ取得用電子メールアドレスとを通知する。なお、結婚式場の協力とは、これらの通知すべき情報を結婚式の招待状等に印刷、または別紙として同封し挙式参加者に送付することを意味する。また、結婚式二次会参加者等にも、新郎新婦はこれら情報を通知する。
ゲストユーザ登録のための情報を通知されたユーザは、ステップＳ５において、サーバ３のゲスト登録用ＵＲＬ取得用電子メールアドレスに、自分の通信端末２を使って空メールを送信する。サーバ３の電子メール送受信部３３は、このような空メールを受信すると、ステップＳ６において、ゲスト登録用ＵＲＬが記入されリンクが貼られた電子メールを直ちに自動返信する。なお、ＵＲＬと電子メールアドレスとを対比すると、電子メールアドレスの方が一般に短いため、ＵＲＬを通信端末２に入力するよりも電子メールアドレスを入力する方が、ユーザにとって操作しやすい。上記においては、ユーザは、通信端末２から空の電子メールをサーバ３に送信し、その返信メールに含まれているＵＲＬをクリックするだけでよいので、ユーザの利用勝手がよい。
【００１８】
ユーザ登録用ＵＲＬを入手したユーザは、ステップＳ７において、それ以前に入手しているゲストＩＤｉ及びＰＷｉを用いてそのＵＲＬにアクセスすると、ゲストユーザ登録部３２は、ゲスト登録ページを提示し、ユーザが該ページ上で自分の個人情報を入力する。すると、ゲストユーザ登録部３２は、ステップＳ８において、入力されたゲストＩＤｉ及びＰＷｉからグループＧｉを特定し、管理用データベースＤＢ（ｍ）に、グループＧｉに対応付けてゲストユーザの個人情報を格納する。個人情報には、ゲストユーザの氏名／ニックネーム（省略可）／新郎新婦との関係／メールアドレスが含まれる。
これにより、管理用データベースＤＢ（ｍ）には、各グループＧｉに含まれるゲストユーザの電子メールアドレスを含む個人情報のリストが形成される。
【００１９】
新郎新婦がグループ設定／提示部３１が提供するページにアクセスしてから、所定の期間が経過すると、ゲストユーザ登録部３２は、ステップＳ９において、電子メール送受信部３３を介して、新郎新婦の登録されている電子メールアドレスに対して、その時点でグループＧｉのゲストとして登録されたユーザの氏名／ニックネーム／新郎新婦との関係／メールアドレスの項目別に一覧表示した名簿を、ゲスト登録者の修正／削除機能を有するＵＲＬ（ゲスト修正／削除用ＵＲＬ）と共に送信する。このＵＲＬにアクセスするためにはマスタＩＤｉ及びＰＷｉを用いる必要がある。マスタユーザである新郎新婦は、ステップＳ１０において、このＵＲＬにアクセスすることにより、新郎新婦は、ゲスト登録者の修正や、悪意のある第三者の登録削除を行う。
【００２０】
ゲスト登録及びその修正／削除が完了すると、挙式前日までに、サーバ３は、ステップＳ１１において、新郎新婦に、グループＧｉに対応する固有のコンテンツ送信先メールアドレスＣＥＡＤＤｉ、コンテンツ閲覧用ＵＲＬｉ、及びコンテンツ削除のためのＵＲＬｉ（コンテンツ削除用ＵＲＬｉ）を電子メールで通知する。なお、新郎新婦にもコンテンツ送信先メールアドレスが通知されるということは、マスタユーザにゲストの機能も含まれているということを意味する。同様に、グループＧｉに含まれるゲストに対して、グループＧｉに対応する固有のコンテンツ送信先メールアドレスＣＥＡＤＤｉ及びコンテンツ閲覧用ＵＲＬｉを電子メールで通知する。
【００２１】
結婚式の当日又はそれ以降の所定の期間内に、マスタユーザである新郎新婦及びゲストは、ステップＳ１２において、当日撮影した写真等のグループ内で共有したいコンテンツがあれば、それをサーバ３の指定先のコンテンツ送信先メールアドレスＣＥＡＤＤｉに送信する。データベース管理部３４は、ステップＳ１３において、管理用データベースＤＢ（ｍ）を参照して、電子メール送受信部３３において受信した電子メールの内、マスタユーザ及びゲストユーザとして登録されている人からの電子メールのみを抽出し、かつ、抽出した電子メールがどのグループに属するマスタユーザ又はゲストユーザからのものであるか判定し、該当するグループＧｉのコンテンツデータベースＤＢｉにコンテンツ（電子メール本文＋添付ファイル）を格納する。このようにして、グループＧｉ内のユーザが配信したコンテンツが順次格納され、該グループ内で共有可能なコンテンツのデータベースが生成される。
以上の処理により、同一日、同一会場の違う挙式に参加予定の人であっても、グループ毎に、つまり挙式ごとにコンテンツ送信先メールアドレスが違うことになり、その結果、指定のグループ用のデータベースにコンテンツをアップロードすることが可能となる。
【００２２】
このような状態で、ステップＳ１４において、ユーザが、コンテンツ提供部３５が提供するコンテンツ閲覧入力ページにアクセスすると、コンテンツ提供部３５は、ステップＳ１５において、データベースＤＢ１〜ＤＢｎそれぞれのコンテンツグループ一覧を提供してユーザに選択させる。なお、閲覧のみの場合、ユーザは必ずしも登録されている必要がない。すなわち、グループ毎のコンテンツ閲覧用ＵＲＬｉは、ゲストＩＤｉ及びＰＷｉの入力を必要としないオープンのＵＲＬであり、何らの方法でコンテンツ閲覧用ＵＲＬを入手できれば、誰でも閲覧が可能である。すなわち、挙式に参加できない友人、知人、同僚等に、マスタユーザ又はゲスト等の、登録グループに対応する固有のコンテンツ閲覧用ＵＲＬｉを知っている人が、電子メール、電話、口頭でこのＵＲＬを教えることにより、ユーザ登録していない人でも閲覧が可能になる。
【００２３】
ステップＳ１６において、ユーザがコンテンツグループ一覧からコンテンツグループを選択すると、コンテンツ提供部３５は、ステップＳ１７において、データベース管理部３４に指示して、ユーザが選択したグループのデータベースＤＢｉからコンテンツ読み出し、適宜の表現でそのコンテンツをコンテンツ提供ページ上で提供する。
また、閲覧したコンテンツをユーザの通信端末２にダウンロードする場合には、そのコンテンツが格納されているデータベースに対応するグループのグループＩＤｉ及びＰＷｉの入力を必要とするように構成する。これにより、コンテンツの閲覧は任意のユーザが可能であるが、そのダウンロードは対応するグループのユーザのみが可能となる。
【００２４】
なお、登録されたユーザのみが、該ユーザが属するグループのデータベースに格納されているコンテンツを閲覧及びダウンロード可能に構成しても良い。この場合、コンテンツ提供部３５は、ユーザがコンテンツ閲覧ページにアクセスした時点で、ユーザにグループ用のマスタ又はゲストＩＤｉ及びＰＷｉを入力させ、データベース管理部３４は、管理用データベースＤＢ（ｍ）を参照して、アクセスしてきたユーザがどのグループに属しているかを判定し、コンテンツを読み出すべきデータベースＤＢｉを特定する。
【００２５】
コンテンツ提供部３５は、まずコンテンツ選択用のインデックスをウエブページ上に表示し、それにより選択されたコンテンツを表示するようにしてもよい。インデックスとして、投稿したユーザ名リスト、投稿日リスト、縮小サイズコンテンツリスト等を採用することができる。
例えば、コンテンツ提供部３５は、ウエブアルバムとして、送信された画像のすべてを複製する。そして、その複製された画像が本来持つ画像解像度に関わらず、画像を所定の縮小解像度の画像に変換し、それらが自動スクロールなどの動的な機能を持つインデックス画像として提供する。インデックス画像に、音での表現も付加することにより、視覚、聴覚に訴える要素が相まって、より感覚的、直感的な表現を可能とする。これにより、直感、感覚に依存する画像の視聴覚的検索を、ユーザがダイナミックに体験することができる。
【００２６】
また、コンテンツ提供部３５は、アップロードされた画像のインデックス画像を、スクロールなど動的な機能の動作中、固定された疑似ルーペ等、閲覧ユーザが拡大ないしは変化を連想するオブジェクト、またはブラウザ上に表現される固定、ないしはそれ自体も移動可能な可視又は不可視のオブジェクトを通過する際に、拡大縮小、展開ないしは変色等の変化が生じるよう、ユーザの通信端末２上に提供する。
これにより、ユーザは、興味を持って画像を検索することができ、また、拡大等により対象画像の内容がより詳細に把握でき、さらに、詳細でありながらも素早い画像の視覚的な検索が可能となる。
【００２７】
コンテンツ提供部３５は、このような視覚的検索で検索され１つの画像がユーザにより指定されると、該画像の本来の解像度での閲覧が可能となるように、画像を提供する。その際、対象となる画像の投稿者の氏名とグループとの関係がテキストで表示される。
さらに、コンテンツ提供部３５は、選択された画像を複数段階に拡大縮小機能を有し、また、左右９０度及び１８０度回転させる機能も有している。これにより、画像を閲覧しているユーザは、任意の画像を、その画像本来の解像度で閲覧する際に、画像の大きさと画像の天地（側面側も含む）を自分の意図する表現で表示させることができる。したがって、ユーザは、自分の意図した表現で表示している画像を、その表現を保持したまま、プリントアウトすることができる。
なお、コンテンツとして、テキスト、音声、静止画、動画等等の任意のリッチコンテンツを採用することができる。
また、データベースとして、リレーショナル型等の任意のものを採用可能である。
【００２８】
以上のように、本発明のデータベースサービスシステムにおいては、ＦＴＰアプリケーションを使用することなく、コンテンツ記憶用のデータベースに、そのグループに属する登録されたユーザのみからのコンテンツを記憶することができる。しかも、ＦＴＰアプリケーションを利用しないため、携帯通信端末から、データベースにアクセスして、ファイルのアップロード及びダウンロードを行うことができる。
【図面の簡単な説明】
【００２９】
【図１】本発明のデータベースサービスシステムの一実施形態を示すブロック図である。
【図２】図１に示したシステムの動作を説明するためのフローチャートであり、グループに属するゲストユーザを登録するまでの動作を示すフローである。
【図３】図１に示したシステムの動作を説明するためのフローチャートであり、グループ内のマスタユーザ及びゲストユーザがコンテンツを投稿する際、及び任意のユーザがコンテンツを閲覧する際の動作フローである。
【図１】
2006113726.tif 000003
【図２】
2006113726.tif 000004
【図３】
2006113726.tif 000005